(57)【特許請求の範囲】
【請求項１】
走行前位置と走行完了位置との間を移動する羽根駆動部材と、
アーマチャが配置される第１の部材と、
通電することで前記アーマチャを吸着する電磁石と、
前記アーマチャが前記電磁石に当接するように前記第１の部材を保持する保持位置と前記第１の部材の移動軌跡外に退避する退避位置との間を移動する保持部材と、前記保持部材を前記退避位置に付勢する付勢部材と、
前記保持部材を前記付勢部材の付勢力に抗して前記保持位置に係止する係止位置と前記係止を解除する解除位置との間を移動する第２の部材と、
前記第２の部材を前記係止位置から前記解除位置に移動させる駆動源と、
前記駆動源への通電を制御する通電制御手段と、を備える撮像装置であって、前記アーマチャが前記電磁石に当接するとき、前記第１の部材は前記羽根駆動部材を前記走行前位置に係止し、
前記通電制御手段は、第１の制御モードと第２の制御モードを有し、
前記第１の制御モードでは、前記駆動源に通電して前記第２の部材を前記係止位置から前記解除位置に移動させたのち、前記通電制御手段は、前記駆動源への通電を行わず、前記第２の制御モードでは、前記駆動源に通電して前記第２の部材を前記係止位置から前記解除位置に移動させたのち、前記通電制御手段は、前記羽根駆動部材が走行完了位置に移動するまで前記駆動源に前記第２の部材のバウンドを規制するための通電を行うことを特徴とする撮像装置。
【請求項２】
前記撮像装置は連続撮影を実行することが可能であって、
前記連続撮影の１コマ目では、前記通電制御手段が前記第１の制御モードにて前記駆動源への通電を制御し、
前記連続撮影の２コマ目以降では、前記通電制御手段が前記第２の制御モードにて前記駆動源への通電を制御することを特徴とする請求項１に記載の撮像装置。
【請求項３】
前記通電制御手段が前記駆動源に前記第２の部材のバウンドを規制するための通電を行う際の前記駆動源への通電量は、前記通電制御手段が前記第２の部材を前記係止位置から前記解除位置に移動させる際の前記駆動源への通電量より小さいことを特徴とする請求項１または２に記載の撮像装置。
【請求項４】
前記撮像装置は通常撮影および連続撮影を実行することが可能であって、
前記撮像装置が前記通常撮影を実行する際には、前記通電制御手段が前記第１の制御モードにて前記駆動源への通電を制御し、
前記撮像装置が前記連続撮影を実行する際には、前記通電制御手段が前記第２の制御モードにて前記駆動源への通電を制御することを特徴とする請求項１ないし３のいずれか１項に記載の撮像装置。
【請求項５】
前記通電制御手段が前記第２の制御モードにて前記駆動源への通電を制御する際には、前記第２の部材を前記係止位置から前記解除位置へ移動させるために第１の通電量を前記駆動源へ通電し、
前記第２の部材が前記係止位置から前記解除位置へ移動したのち、前記第１の通電量より小さい第２の通電量を前記駆動源へ通電することを特徴とする請求項１ないし４のいずれか１項に記載の撮像装置。
【請求項６】
前記通電制御手段が前記第２の制御モードにて前記駆動源への通電を制御する際には、前記第２の部材を前記係止位置から前記解除位置へ移動させるために第１の電圧を前記駆動源へ通電し、
前記第２の部材が前記係止位置から前記解除位置へ移動したのち、前記第１の電圧より小さい第２の電圧を前記駆動源へ通電することを特徴とする請求項１ないし４のいずれか１項に記載の撮像装置。
【発明の詳細な説明】
【技術分野】
【０００１】
本発明は、撮像装置に関し、特に駆動源でボディレリーズレバーを動作させる撮像装置に関する。
【背景技術】
【０００２】
従来より、シャッターチャージ機構によるシャッター装置のチャージを完了した後、シャッター緊定機構でシャッター羽根を保持し、シャッターチャージ機構によるチャージ状態を解除した走行準備状態で停止させる構成が知られている。
【０００３】
特許文献１には、シャッターチャージ後に保持レバーによりアマチャーに対してシャッターの緊定レバーを押し付けて保持し、保持レバーを保持しているボディレリーズレバーをシャッター走行前に外部から解除する構成が記載されている。
【先行技術文献】
【特許文献】
【０００４】
【特許文献１】特許第２７６５７４７号明細書
【発明の概要】
【発明が解決しようとする課題】
【０００５】
特許文献１に示されるような構成では、ボディレリーズレバーは、ボディレリーズ解除レバーによって保持レバーとの係止が解除されたのちは、ミラーのアップダウンと連動するボディレリーズ解除レバーによって押圧され続ける。このような従来の構成では、ボディレリーズレバーはシャッタ走行直前、またはシャッタ走行中に動くことはなかった。
【０００６】
ボディレリーズアクチュエータによって、ミラーのアップダウン動作とは無関係にボディレリーズ解除レバーを動作させると、以下のような問題が生じる。
【０００７】
ボディレリーズアクチュエータに通電することで、ボディレリーズレバーによる保持レバーの係止を解除したのち、ボディレリーズアクチュエータへの通電を停止させると、ボディレリーズレバーの動きが規制されず、ボディレリーズレバーがバウンドする。
【０００８】
この問題に対して、ボディレリーズレバーのバウンドが収束するのを待って、先幕を走行させることが考えられる。しかし、この場合にはレリーズタイムラグが長くなり、連続撮影時のコマ速が低下してしまう。
【０００９】
また、ボディレリーズレバーによる保持レバーの係止を解除したのち、ボディレリーズレバーの動きを規制するために、ボディレリーズアクチュエータに通電を続けることが考えられる。しかし、この場合には、ボディレリーズアクチュエータへの通電時間が長くなり、消費電力が増加してしまう。
【００１０】
本発明の目的は、このような課題に鑑みて、連続撮影時のコマ速を低下させることなく、かつボディレリーズアクチュエータの消費電力の増加を最小限に抑えた撮像装置を提供することにある。
【課題を解決するための手段】
【００１１】
上記目的を達成するために、本発明は、走行前位置と走行完了位置との間を移動する羽根駆動部材と、アーマチャが配置される第１の部材と、通電することで前記アーマチャを吸着する電磁石と、前記アーマチャが前記電磁石に当接するように前記第１の部材を保持する保持位置と前記第１の部材の移動軌跡外に退避する退避位置との間を移動する保持部材と、前記保持部材を前記退避位置に付勢する付勢部材と、前記保持部材を前記付勢部材の付勢力に抗して前記保持位置に係止する係止位置と前記係止を解除する解除位置との間を移動する第２の部材と、前記第２の部材を前記係止位置から前記解除位置に移動させる駆動源と、前記駆動源への通電を制御する通電制御手段と、を備える撮像装置であって、前記アーマチャが前記電磁石に当接するとき、前記第１の部材は前記羽根駆動部材を前記走行前位置に係止し、前記通電制御手段は、第１の制御モードと第２の制御モードを有し、前記第１の制御モードでは、前記駆動源に通電して前記第２の部材を前記係止位置から前記解除位置に移動させたのち、前記通電制御手段は、前記駆動源への通電を行わず、前記第２の制御モードでは、前記駆動源に通電して前記第２の部材を前記係止位置から前記解除位置に移動させたのち、前記通電制御手段は、前記羽根駆動部材が走行完了位置に移動するまで前記駆動源に前記第２の部材のバウンドを規制するための通電を行うことを特徴とする。
【発明の効果】
【００１２】
本発明によれば、レリーズタイムラグを長くすることなく、かつボディレリーズアクチュエータの消費電力の増加を最小限に抑えた撮像装置を提供することができる。
【図面の簡単な説明】
【００１３】
【図１】本発明を実施した撮像装置の一例としてのデジタルカメラの全体構成を説明する図である。
【図２】デジタルカメラ本体１００に配置されたシャッタユニット１０１を被写体側から見た平面図である。
【図３】シャッタユニット１０１の第１の動作シーケンスを説明するタイミングチャートである。
【図４】シャッタユニット１０１のシャッタ駆動部１０１ａが図３における状態Ｂとなるときの平面図である。
【図５】シャッタユニット１０１のシャッタ駆動部１０１ａが図３における状態Ｃとなるときの平面図である。
【図６】シャッタユニット１０１のシャッタ駆動部１０１ａが図３における状態Ｄとなるときの平面図である。
【図７】シャッタユニット１０１のシャッタ駆動部１０１ａが図３における状態Ｅとなるときの平面図である。
【図８】シャッタユニット１０１の第２の動作シーケンスを説明するタイミングチャートである。
【図９】シャッタユニット１０１のシャッタ駆動部１０１ａが図３における状態Ｃ’となるときの平面図である。
【図１０】シャッタユニット１０１のシャッタ駆動部１０１ａが図３における状態Ｄ’となるときの平面図である。
【図１１】シャッタユニット１０１のシャッタ駆動部１０１ａが図３における状態Ｅ’となるときの平面図である。
【図１２】デジタルカメラ本体１００の動作フローを説明するフローチャートである。
【発明を実施するための形態】
【００１４】
以下に、本発明の好ましい実施の形態を、添付の図面に基づいて詳細に説明する。
【００１５】
図１は本発明を実施した撮像装置の一例としてのデジタルカメラの全体構成を説明する図である。図１において、撮影レンズ１１０はデジタルカメラ本体１００に着脱可能に構成されている。デジタルカメラ本体１００には、撮影レンズ１１０を通過する撮影光束を撮像素子１２０に導く撮影光路内を進退するクイックリターンミラー１３０と、撮像素子１２０の撮像面を露出させる状態と遮蔽する状態にするシャッタユニット１０１が配置されている。
【００１６】
図１に図示するように、クイックリターンミラー１３０が撮影光路内に進入しているときには、デジタルカメラ本体１００の上部に配置されたペンタプリズム１４０に撮影光束が導かれる。ペンタプリズム１４０は入射される被写体像を正立正像に変換し、ファインダ光学系１５０に射出する。これによって、撮影者は接眼部１６０から被写体像を確認することができる。
【００１７】
撮影時には、クイックリターンミラー１３０が撮影光路から退避し、シャッタユニット１０１が撮像素子１２０の撮像面を露出させる状態となる。これによって、撮影光束は撮像素子１２０に入射する。
【００１８】
表示部１７０では、撮影した画像を表示させて確認したり、カメラ１００の設定状態を確認したりすることができる。操作部１８０では、カメラの撮影モードを通常撮影を実行するシングル撮影モード、低速の連続撮影を実行する低速連写撮影モード、高速の連続撮影を実行する高速連写撮影モードのいずれかに切り替えることができる。
【００１９】
図２（ａ）は、デジタルカメラ本体１００に配置されたシャッタユニット１０１を被写体側から見た平面図である。図２（ａ）では、シャッタユニット１０１が先幕走行前状態となっている。図２（ａ）に図示するように、地板１には、被写体光束を通過させるアパーチャ１ａが形成されている。地板１には、先幕羽根群２ａおよび後幕羽根群６ａの駆動機構を構成する各部品が取り付けられるとともに、シャッタ駆動部１０１ａが取り付けられる。
【００２０】
図２（ｂ）は、図２（ａ）に図示するシャッタユニット１０１のシャッタ駆動部１０１ａを拡大した図である。したがって、図２（ｂ）では、シャッタ駆動部１０１ａが先幕走行前状態となっている。
【００２１】
図２（ｂ）にて、シャッタ地板１の表面に形成された先幕軸１ｂには、先幕駆動レバー２が回動可能に支持されている。先幕軸１ｂの外周に、ねじりコイルバネ（不図示）が配置されている。このねじりコイルバネが先幕駆動レバー２を図２（ｂ）で時計回り方向（先幕羽根群２ａを走行させる方向）に付勢している。
【００２２】
先幕駆動レバー２の先端部には先幕駆動ピン（不図示）が形成されている。先幕駆動ピンは、シャッタ地板１に形成された先幕溝部１ｃを貫通して不図示の先幕駆動アームと係合している。先幕駆動アームは、リンク機構を介して先幕羽根群２ａと連結している。先幕羽根群２ａは複数のシャッタ羽根で構成されている。
【００２３】
先幕駆動レバー２の回動によって先幕駆動ピンが先幕溝部１ｃに沿って移動すると、先幕駆動アームが回動して先幕羽根群２ａを構成する複数のシャッタ羽根を展開させたり、重畳させたりする。なお、先幕駆動レバー２は、先幕溝部１ｃによって回動範囲が制限されている。
【００２４】
図２（ｂ）に図示する先幕走行前状態では、先幕駆動レバー２が、先幕係止レバー３の先幕係止部３ａによって係止されている。先幕係止レバー３は、シャッタ地板１の表面に形成された先幕係止軸１ｄを中心に回動する。先幕係止軸１ｄの周囲に、ねじりコイルバネ（不図示）が配置される。このねじりコイルバネは、先幕係止レバー３を図２（ｂ）で反時計周りに付勢する。このねじりコイルバネの付勢力に逆らって先幕係止被押圧部３ｂを押圧すると、先幕係止部３ａによる先幕駆動レバー２の係止が外れる。
【００２５】
先幕解除レバー４は、シャッタ地板１に形成される先幕解除軸１ｅを中心に回動する。先幕解除レバー４の先端部には、先幕アマーチャ４ａが取り付けられている。先幕解除レバー４にはバネ３０が掛けられている。バネ３０は、先幕解除レバー４を図２（ｂ）で時計回り方向（後述の先幕電磁石５から離反させる方向）に付勢している。先幕解除レバー４には、先幕係止押圧部４ｂが形成され、バネ３０の付勢力によって先幕解除レバー４が回動すると、先幕係止押圧部４ｂが先幕係止被押圧部３ｂを押圧する。
【００２６】
先幕電磁石５は、先幕ヨーク５ａおよび先幕コイル５ｂを有する。先幕コイル５ｂに電圧を印加すると、先幕ヨーク５ａに磁力が発生する。この磁力によって先幕ヨーク５ａに先幕アマーチャ４ａを吸着することができる。先幕電磁石５は、先幕解除レバー４を付勢しているバネ３０の付勢力よりも大きい力で先幕アマーチャ４ａを吸着することができるような電圧を印加する。先幕コイル５ｂへの電圧印加を停止すると、先幕アマーチャ４ａを吸着する力がなくなり、バネ３０の付勢力により先幕解除レバー４が時計回りに回転する。
【００２７】
シャッタ地板１の表面に形成された後幕軸１ｆには、後幕駆動レバー６が回動可能に支持されている。後幕軸１ｆの外周に、ねじりコイルバネ（不図示）が配置されている。このねじりコイルバネが後幕駆動レバー６を図３（ａ）での時計回り方向（後幕羽根群６ａを走行させる方向）に付勢している。
【００２８】
後幕駆動レバー６の先端部には後幕駆動ピン（不図示）が形成されている。後幕駆動ピンは、シャッタ地板１に形成された後幕溝部１ｇを貫通して不図示の後幕駆動アームと係合している。後幕駆動アームは、リンク機構を介して後幕羽根群６ａと連結している。後幕羽根群６ａは複数のシャッタ羽根で構成されている。
【００２９】
後幕駆動レバー６の回動によって後幕駆動ピンが後幕溝部１ｇに沿って移動すると、後幕駆動アームが回動して後幕羽根群６ａを構成する複数のシャッタ羽根を展開させたり、重畳させたりする。
【００３０】
上述した先幕羽根群２ａの動作と、この後幕羽根群６ａの動作とによって、アパーチャ１ａを開放状態にしたり、遮蔽状態にしたりすることができる。なお、後幕駆動レバー６は、後幕溝部１ｇによって回動範囲が制限されている。
【００３１】
図２（ｂ）に図示する先幕走行前状態では、後幕駆動レバー６が、後幕係止レバー７の後幕係止部７ａによって係止されている。後幕駆動レバー６は、シャッタ地板１の表面に形成された後幕係止軸１ｈを中心に回動する。後幕係止軸１ｈの周囲に、ねじりコイルバネ（不図示）が配置される。このねじりコイルバネは、後幕係止レバー７を図２（ｂ）で時計周りに付勢する。このねじりコイルバネの付勢力に逆らって後幕係止被押圧部７ｂを押圧すると、後幕係止部７ａによる後幕駆動レバー６の係止が外れる。
【００３２】
後幕解除レバー８は、シャッタ地板１に形成される幕解除軸１ｉを中心に回動する。後幕解除レバー８の先端部には、後幕アマーチャ８ａが取り付けられている。後幕解除レバー８にはバネ３１が掛けられている。バネ３１は、先幕解除レバー４を図２（ｂ）で反時計回り方向（後述の後幕電磁石９から離反させる方向）に付勢している。後幕解除レバー８には、後幕係止押圧部８ｂが形成され、バネ３１の付勢力によって後幕解除レバー８が回動すると、後幕係止押圧部８ｂが後幕係止被押圧部７ｂを押圧する。
【００３３】
後幕電磁石９は、後幕ヨーク９ａおよび後幕コイル９ｂを有する。後幕コイル９ｂに電圧を印加すると、後幕ヨーク９ａに磁力が発生する。この磁力によって後幕ヨーク９ａに後幕アマーチャ８ａを吸着することができる。後幕電磁石９は、後幕解除レバー８を付勢しているバネ３１の付勢力よりも大きい力で後幕アマーチャ８ａを吸着することができるような電圧を印加する。後幕コイル９ｂへの電圧印加を停止すると、後幕アマーチャ８ａを吸着する力がなくなり、バネ３１の付勢力により後幕解除レバー８が時計回りに回動する。
【００３４】
保持レバー１０は、シャッタ地板１に形成される保持レバー軸１ｊを中心として回動可能なように支持されている。保持レバー軸１ｊの外周には、ねじりコイルバネ３２が配置されている。このねじりコイルばね３２は、保持レバー１０を図２（ｂ）で時計回り方向に付勢する付勢部材として機能する。保持レバー１０の移動範囲は保持レバー停止部材１１によって制限される。保持レバー停止部材１１はゴムなどの弾性体で形成されており、保持レバー１０が保持レバー停止部材１１に衝突してバウンドすることを抑制している。すなわち、保持レバー１０は、先幕アーマチャ４ａが先幕電磁石５に当接するように先幕解除レバー４を保持する保持位置と先幕解除レバー４の移動軌跡外に退避する退避位置との間を移動する。
【００３５】
保持レバー１０先端部にはアマーチャ保持部１０ａが形成され、アマーチャ保持部１０ａと保持レバー１０とは、弾性体を介して微小量相対移動が可能なように接続されている。図２（ｂ）の状態では、アマーチャ保持部１０ａが先幕アマーチャ４ａおよび後幕アマーチャ８ａを図２（ｂ）で反御時計回りに押圧し、それぞれ先幕電磁石５および後幕電磁石９に当接させている。したがって、図２（ｂ）の状態では、先幕コイル５ｂおよび後幕コイル９ｂへの電圧の印加に関係なく、先幕アマーチャ４ａを先幕電磁石５に当接させ、後幕アマーチャ８ａを後幕電磁石９に当接させている。
【００３６】
保持レバー１０には保持レバー係止部１０ｂが形成されている。保持レバー係止部１０ｂがボディレリーズレバー１２に形成されるボディレリーズレバー係止部１２ａに係止されることで、保持レバー１０は図２（ｂ）の状態で保持される。
【００３７】
ボディレリーズレバー１２は、シャッタ地板１に形成されたボディレリーズ軸１ｋを中心として回動する。ボディレリーズ軸１ｋの外周には、ねじりコイルバネ（不図示）が設けられる。このねじりコイルばねは、ボディレリーズレバー１２を図２（ｂ）で時計回り方向に付勢している。すなわち、ボディレリーズレバー１２は、保持レバー１０をねじりコイルばね３２の付勢力に抗して保持位置に係止する係止位置と係止を解除する解除位置との間を移動する。
【００３８】
ボディレリーズアクチュエータ１３は、ボディレリーズレバー駆動部１３ａと戻しバネ（不図示）を有する。ボディレリーズアクチュエータ１３が無通電状態となるときに、ボディレリーズレバー駆動部１３ａは戻しバネの付勢力によって無通電位置に戻す。ボディレリーズアクチュエータ１３に通電されると、ボディレリーズレバー駆動部１３ａは戻しバネの付勢力に抗して、図２（ｂ）で時計周り方向に回動する。すなわち、ボディレリーズアクチュエータ１３は、ボディレリーズレバー１２を係止位置から解除位置に移動させる駆動源として機能する。
【００３９】
ボディレリーズレバー１２には、バウンド抑制部１２ｂが形成されている。バウンド抑制部１２ｂは、バウンドしている保持レバー１０と当接し、保持レバー１０を保持レバー停止部材１１に押し付ける。
【００４０】
本実施形態のデジタルカメラ本体１００は、レリーズボタンをオンして、撮影動作を行う際に、シャッタユニット１０１に第１の動作シーケンスを実行させるか、第２の動作シーケンスを実行させるかを選択することができる。
【００４１】
まず、レリーズボタンのオンによって、シャッタユニット１０１に第１の動作シーケンスを実行させる場合について説明する。なお、第１の動作シーケンスは、第１の制御モードの一例である。
【００４２】
図２（ｂ）に図示する先幕走行前状態はレリーズボタンがオンされていない撮影スタンバイ状態となっている。
【００４３】
図３は、第１の動作シーケンスを説明するタイミングチャートである。図２（ａ）および図２（ｂ）に示す先幕走行前状態は、図３のタイミングチャートでは状態Ａに相当する。
【００４４】
レリーズボタンがオンされると、デジタルカメラ本体１００のＣＰＵが、先幕電磁石５の先幕コイル５ｂに電圧を印加するとともに、後幕電磁石９の後幕コイル９ｂに電圧を印加するように制御する。先幕コイル５ｂおよび後幕コイル９ｂに電圧を印加してから時間Ｔａが経過すると、デジタルカメラ本体１００のＣＰＵは、ボディレリーズアクチュエータ１３に電圧Ｖｓを印加して、ボディレリーズアクチュエータ１３を駆動する。本実施形態では、デジタルカメラ本体１００のＣＰＵが通電制御手段の一例として機能している。
【００４５】
デジタルカメラ本体１００のＣＰＵがボディレリーズアクチュエータ１３を駆動すると、ボディレリーズレバー駆動部１３ａが戻しバネの付勢力に抗して、図２（ｂ）で時計周り方向に回動する。ボディレリーズレバー駆動部１３ａが時計周り方向に回動すると、ボディレリーズレバー駆動部１３ａは、ボディレリーズレバー１２に形成されたボディレリーズレバー被押圧部１２ｃを押圧し、ボディレリーズレバー１２を反時計周り方向に回動させる。これによって、ボディレリーズレバー係止部１２ａと保持レバー係止部１０ｂとの係合が解除される。保持レバー１０は、ねじりコイルバネの付勢力により先幕アマーチャ４ａおよび後幕アマーチャ８ａから離反し、保持レバー停止部材１１に衝突して、図４に示す状態となる。図４の状態は、図３に図示するタイミングチャートの状態Ｂに相当する。
【００４６】
上述したように、デジタルカメラ本体１００のＣＰＵがボディレリーズアクチュエータ１３への電圧の印加を開始する前に、デジタルカメラ本体１００のＣＰＵは、先幕コイル５ｂおよび後幕コイル９ｂに電圧を印加する。したがって、保持レバー１０が先幕アマーチャ４ａおよび後幕アマーチャ８ａから離反しても、図４に図示するように、先幕アマーチャ４ａは先幕電磁石５に吸着された状態となり、後幕アマーチャ８ａは後幕電磁石９に吸着された状態となる。
【００４７】
図４の状態から、時間Ｔｖ１が経過すると、デジタルカメラ本体１００のＣＰＵは、ボディレリーズアクチュエータ１３への電圧の印加を停止する。ボディレリーズアクチュエータ１３へ通電が行われないと、ボディレリーズレバー駆動部１３ａは戻しバネの付勢力によって、反時計周り方向に回動し、図５に示す状態になる。図５の状態は、図３のタイミングチャートでは状態Ｃに相当する。
【００４８】
デジタルカメラ本体１００が第１の動作シーケンス実行する場合には、電力消費を抑えるために、ボディレリーズアクチュエータ１３への通電時間が最小限の時間に設定される。すなわち、時間Ｔｖ１は、ボディレリーズレバー１２を反時計周り方向に回動させて、ボディレリーズレバー係止部１２ａと保持レバー係止部１０ｂとの係合を解除するために必要な最小限の時間である。
【００４９】
このとき、保持レバー１０は保持レバー停止部材１１に衝突した後、バウンドし、バウンドした保持レバー１０はボディレリーズレバー１２のバウンド抑制部１２ｂに当接する。しかし、ボディレリーズアクチュエータ１３への通電が停止され、ボディレリーズレバー駆動部１３ａが図５に図示する状態となるので、ボディレリーズレバー駆動部１３ａは、ボディレリーズレバー１２の回動を規制することができない。すなわち、図５に図示する状態では、ボディレリーズレバー１２は、保持レバー１０のバウンドを抑制するために十分な機能を果たさない。
【００５０】
保持レバー１０がバウンドしている間に、先幕コイル５ｂに印加される電圧を遮断すると、先幕解除レバー４が先幕係止レバー３と先幕駆動レバー２との係合を解除する前に、バウンドしている保持レバー１０と衝突するおそれがある。後幕についても同様に、後幕解除レバー８が後幕係止レバー７と後幕駆動レバー６との係合を解除する前に、バウンドしている保持レバー１０と衝突するおそれがある。このような衝突が発生すると、先幕羽根群２ａおよび後幕羽根群６ａの走行に大きな影響を与える。
【００５１】
したがって、図３に示すように、デジタルカメラ本体１００のＣＰＵがボディレリーズアクチュエータ１３への通電を停止してから、保持レバー１０のバウンドが収束する時間Ｔｂ１が経過するのを待って、先幕コイル５ｂに印加される電圧を遮断する。デジタルカメラ本体１００のＣＰＵが先幕コイル５ｂに印加される電圧を遮断すると、先幕アマーチャ４ａが先幕電磁石５から離反し、先幕解除レバー４がバネ３０の付勢力によって時計回り方向に回動する。
【００５２】
先幕解除レバー４が回動すると、先幕係止押圧部４ｂが先幕係止被押圧部３ｂを押圧する。先幕係止被押圧部３ｂが押圧されると、先幕係止レバー３が時計回り方向に回動し、先幕係止部３ａと先幕駆動レバー２との係合が解除され、先幕駆動レバー２が時計回り方向に回動して、図６に示す先幕走行完状態となる。図６の状態は、図３に図示するタイミングチャートの状態Ｄに相当する。
【００５３】
図５に図示するように、先幕駆動レバー２には遮光部２ｂが形成され、先幕駆動レバー２が先幕走行完状態となるときに、先幕ＰＩ２１ａは遮光部２ｂを検出して、先幕ＰＩ２１ａの出力信号がＨからＬに変化する。
【００５４】
デジタルカメラ本体１００のＣＰＵが先幕コイル５ｂに印加される電圧を遮断してから、設定された露光時間に基づくタイミングで、デジタルカメラ本体１００のＣＰＵは後幕コイル９ｂに印加される電圧を遮断する。
【００５５】
デジタルカメラ本体１００のＣＰＵが後幕コイル９ｂに印加される電圧を遮断すると、後幕アマーチャ８ａが後幕電磁石９から離反し、後幕解除レバー８がバネ３１の付勢力によって反時計回り方向に回動する。
【００５６】
後幕解除レバー８が回動すると、後幕係止押圧部８ｂが後幕係止被押圧部７ｂを押圧する。後幕係止被押圧部７ｂが押圧されると、後幕係止レバー７が反時計回り方向に回動し、後幕係止部７ａと後幕駆動レバー６との係合が解除され、後幕駆動レバー６が時計回り方向に回動して、図７に示す後幕走行完状態となる。図７の状態は、図３のタイミングチャートでは状態Ｅに相当する。
【００５７】
図７に図示するように、後幕駆動レバー６には遮光部６ｂが形成され、後幕駆動レバー６が後幕走行完状態となるときに、後幕ＰＩ２１ｂは遮光部６ｂを検出して、後幕ＰＩ２１ｂの出力信号がＨからＬに変化する。
【００５８】
図３のタイミングチャートにおいて、先幕コイル５ｂへの通電をオフしてから、先幕羽根群２ａがアパーチャ１ａの遮光状態を解除するまでの時間をＴｃとすると、第１の動作シーケンスでは、図３に示す時間Ｔｓ１がレリーズタイムラグとなる。
【００５９】
以上のように、第１の動作シーケンスでは、保持レバー１０のバウンドを収束させる時間が長くなるものの、ボディレリーズアクチュエータ１３への通電時間が最小限の時間に設定されるので、デジタルカメラ本体１００の消費電力を抑えることができる。
【００６０】
次に、レリーズボタンのオンによって、シャッタユニット１０１に第２の動作シーケンスを実行させる場合について説明する。なお、第２の動作シーケンスは、第２の制御モードの一例である。
【００６１】
図２（ｂ）に図示する先幕走行前状態はレリーズボタンがオンされていない撮影スタンバイ状態となっている。図８は、第２の動作シーケンスを説明するタイミングチャートである。図２（ａ）および図２（ｂ）に示す先幕走行前状態は、図８のタイミングチャートでは状態Ａに相当する。
【００６２】
図８に図示するタイミングチャートの状態Ａから状態Ｂまでの動作は、図３に図示するタイミングチャートの状態Ａから状態Ｂまでの動作と同様である。したがって、図４の状態は、図８に図示するタイミングチャートの状態Ｂに相当する。
【００６３】
図４の状態から、時間Ｔｖ１が経過すると、デジタルカメラ本体１００のＣＰＵは、ボディレリーズアクチュエータ１３に印加する電圧を電圧Ｖｓから電圧Ｖｅに変更する。電圧Ｖｓは、ボディレリーズレバー係止部１２ａと保持レバー係止部１０ｂとの係合を解除するために必要な電圧である。つまり、電圧Ｖｓは、ボディレリーズレバー１２を係止位置から解除位置に移動させる際のボディレリーズアクチュエータ１３への通電量の一例となる。
【００６４】
これに対して、電圧Ｖｅは、戻しバネの付勢力に抗してボディレリーズレバー１２を回動させ、ボディレリーズレバー１２の回動を規制するために必要な電圧である。電圧Ｖｅは、電圧Ｖｓより小さな電圧に設定されている。つまり、電圧Ｖｅは、ボディレリーズレバー１２のバウンドを規制するための通電を行う際のボディレリーズアクチュエータ１３への通電量の一例となる。
【００６５】
したがって、ボディレリーズレバーのバウンドを規制するための通電を行う際のボディレリーズアクチュエータ１３への通電量は、ボディレリーズレバー１２を係止位置から解除位置に移動させる際のボディレリーズアクチュエータ１３への通電量より小さい。
【００６６】
保持レバー１０は保持レバー停止部材１１に衝突した後、バウンドしようとしても、保持レバー１０がボディレリーズレバー１２のバウンド抑制部１２ｂに当接する。このとき、ボディレリーズアクチュエータ１３に電圧Ｖｅが印加されることで、ボディレリーズレバー駆動部１３ａは戻しバネの付勢力に抗して、図９に示す位置に保持され、ボディレリーズレバー１２の時計周り方向の回動を規制する。
【００６７】
これによって、図９に図示するように、保持レバー１０は一方端が保持レバー停止部材１１に当接し、他方端がボディレリーズレバー１２のバウンド抑制部１２ｂに当接した状態となり、バウンドが抑えられる。図９の状態は、図８のタイミングチャートでは状態Ｃ’に相当する。
【００６８】
図８に示すように、デジタルカメラ本体１００のＣＰＵは、ボディレリーズアクチュエータ１３に印加する電圧を電圧Ｖｓから電圧Ｖｅに変更してから、保持レバー１０を安定させるための時間Ｔｂ２が経過するのを待つ。そして、デジタルカメラ本体１００のＣＰＵは、先幕コイル５ｂに印加される電圧を遮断する。ここで、時間Ｔｂ２は第１の動作シーケンスにおけるバウンド収束時間Ｔｂ１よりも十分短い時間に設定されている。
【００６９】
デジタルカメラ本体１００のＣＰＵが先幕コイル５ｂに印加される電圧を遮断すると、先幕アマーチャ４ａが先幕電磁石５から離反し、先幕解除レバー４がバネ３０の付勢力によって時計回り方向に回動する。
【００７０】
先幕解除レバー４が回動すると、先幕係止押圧部４ｂが先幕係止被押圧部３ｂを押圧する。先幕係止被押圧部３ｂが押圧されると、先幕係止レバー３が時計回り方向に回動し、先幕係止部３ａと先幕駆動レバー２との係合が解除され、先幕駆動レバー２が時計回り方向に回動して、図１０に示す先幕走行完状態となる。図１０の状態は、図８に図示するタイミングチャートの状態Ｄ’に相当する。
【００７１】
図１０の状態となるときに、ボディレリーズアクチュエータ１３への電圧Ｖｅの印加は継続されている。したがって、保持レバー１０は図９に図示する状態と同じ状態を維持する。また、図１０に図示するように、先幕駆動レバー２には遮光部２ｂが形成され、先幕駆動レバー２が先幕走行完状態となるときに、先幕ＰＩ２１ａは遮光部２ｂを検出して、先幕ＰＩ２１ａの出力信号がＨからＬに変化する。
【００７２】
デジタルカメラ本体１００のＣＰＵが先幕コイル５ｂに印加される電圧を遮断してから、設定された露光時間に基づくタイミングで、デジタルカメラ本体１００のＣＰＵは後幕コイル９ｂに印加される電圧を遮断する。
【００７３】
デジタルカメラ本体１００のＣＰＵが後幕コイル９ｂに印加される電圧を遮断すると、後幕アマーチャ８ａが後幕電磁石９から離反し、後幕解除レバー８がバネ３１の付勢力によって反時計回り方向に回動する。
【００７４】
後幕解除レバー８が回動すると、後幕係止押圧部８ｂが後幕係止被押圧部７ｂを押圧する。後幕係止被押圧部７ｂが押圧されると、後幕係止レバー７が反時計回り方向に回動し、後幕係止部７ａと後幕駆動レバー６との係合が解除され、後幕駆動レバー６が時計回り方向に回動して、図１１に示す後幕走行完状態となる。図１１の状態は、図８のタイミングチャートでは状態Ｅ’に相当する。
【００７５】
図１１の状態となるときに、デジタルカメラ本体１００のＣＰＵは、ボディレリーズアクチュエータ１３への電圧Ｖｅの印加を継続している。したがって、保持レバー１０は図９および図１０に図示する状態と同じ状態を維持する。また、図１１に図示するように、後幕駆動レバー６には遮光部６ｂが形成され、後幕駆動レバー６が後幕走行完状態となるときに、後幕ＰＩ２１ｂは遮光部６ｂを検出して、後幕ＰＩ２１ｂの出力信号がＨ信号からＬ信号に変化する。
【００７６】
図８のタイミングチャートに図示するように、後幕ＰＩ２１ｂの出力信号がＨからＬに変化すると、ボディレリーズアクチュエータ１３への電圧Ｖｅの印加を停止する。
【００７７】
図８のタイミングチャートにおいて、先幕コイル５ｂへの通電をオフしてから、先幕羽根群２ａがアパーチャ１ａの遮光状態を解除するまでの時間をＴｃとすると、第２の動作シーケンスでは、図８に示す時間Ｔｓ２がレリーズタイムラグとなる。時間Ｔｓ２は、図３に示す時間Ｔｓ１よりも短い時間となる。
【００７８】
また、図８のタイミングチャートにおいて、先幕コイル５ｂへの通電をオフしてから後幕ＰＩ２１ｂの信号がＬ信号となるまでの時間をＴｄとする。第２の動作シーケンスにおいて、デジタルカメラ本体１００のＣＰＵがボディレリーズアクチュエータ１３へ通電する時間は、図８に示す時間はＴｖ２となる。時間はＴｖ２は、図３に示す時間Ｔｖ１よりも長い時間となる。
【００７９】
以上のように、第２の動作シーケンスでは、デジタルカメラ本体１００のＣＰＵは、後幕駆動レバー６が後幕走行完状態となるまで、ボディレリーズアクチュエータ１３に通電する。したがって、デジタルカメラ本体１００の消費電力は第１の動作シーケンスと比較して増加するものの、保持レバー１０のバウンドを抑制することができる。これによって、ボディレリーズレバー係止部１２ａと保持レバー係止部１０ｂとの係合を解除してから、先幕解除レバー４が先幕係止レバー３と先幕駆動レバー２との係合を解除するまでの時間は、第１の動作シーケンスよりも短くなる。
【００８０】
図１２は、デジタルカメラ本体１００の動作フローを説明するフローチャートである。このフローチャートでは、操作部１８０にて設定されるカメラの撮影モードに基づいて、シャッタユニット１０１に第１の動作シーケンスを実行させるか、第１の動作シーケンスを実行させるかを切り替える部分のみを説明する。
【００８１】
ステップＳ１００で動作フローを開始する。ステップＳ１１０にて、レリーズボタンが押されると、ステップＳ１２０へ進む。ステップＳ１２０では、操作部１８０によって、連写撮影モードが設定されているか否かを判定する。ここで、低速連写撮影モードまたは高速連写撮影モードが設定されている場合には、ステップＳ１３０に進み、シングル撮影モードが設定されている場合には、ステップＳ１６０に進む。
【００８２】
ステップＳ１３０では、高速連写撮影モードが設定されているか否かを判定する。ここで、高速連写撮影モードが設定されている場合には、ステップＳ１４０に進み、低速連写撮影モードが設定されている場合には、ステップＳ１６０に進む。
【００８３】
ステップＳ１４０では、高速連写撮影モードにおける撮影が２コマ目以降の撮影であるかどうかを判定する。ここで、高速連写撮影モードにおける撮影が２コマ目以降の撮影である場合には、ステップＳ１５０に進み、高速連写撮影モードにおける撮影が１コマ目の撮影である場合には、ステップＳ１６０に進む。
【００８４】
ステップＳ１５０では、シャッタユニット１０１に第２の動作シーケンスを実行させる。ステップＳ１６０では、シャッタユニット１０１に第１の動作シーケンスを実行させる。
【００８５】
デジタルカメラ本体１００では、カメラの撮影モードが高速連写撮影モードに設定され、かつ高速連写撮影モードにおける撮影が２コマ目以降の撮影である場合には、シャッタユニット１０１に第２の動作シーケンスを実行させる。
【００８６】
一方、カメラの撮影モードがシングル撮影モードまたは低速連写撮影モードに設定される場合、高速連写撮影モードにおける撮影が１コマ目の撮影である場合には、シャッタユニット１０１に第１の動作シーケンスを実行させる。
【００８７】
本実施形態では、カメラの撮影モードが高速連写撮影モードに設定され、かつ高速連写撮影モードにおける撮影が２コマ目以降の撮影である場合には、デジタルカメラ本体１００の消費電力を低減することよりも、秒間コマ速（１秒間に撮影可能な枚数）を優先している。なお、高速連写撮影モードにおける１コマ目の撮影である場合には、測光結果に基づく絞り駆動に時間を要してしまい、シャッタユニット１０１に第２の動作シーケンスを実行させたとしても、秒間コマ速が向上しない。このような理由によって、高速連写撮影モードにおける１コマ目の撮影である場合には、シャッタユニット１０１に第１の動作シーケンスを実行させて、デジタルカメラ本体１００の消費電力を低くすることを優先している。
【００８８】
そして、カメラの撮影モードがシングル撮影モードまたは低速連写撮影モードに設定される場合には、秒間コマ速（１秒間に撮影可能な枚数）よりもデジタルカメラ本体１００の消費電力を低くすることを優先している。
【００８９】
（変形例）
上述した実施形態では、操作部１８０によって、シングル撮影モード、低速連写撮影モード、高速連写撮影モードのいずれかに切り替える場合を説明した。操作部１８０によって、シングル撮影モードまたは連写撮影モードいずれかに切り替える変形例について説明する。
【００９０】
この変形例では、連写撮影モードの２コマ目以降の撮影である場合に、シャッタユニット１０１に第２の動作シーケンスを実行させ、シングル撮影モードまたは連写撮影モードの１コマ目の撮影である場合に、シャッタユニット１０１に第１の動作シーケンスを実行させる。
【００９１】
動作フローを簡単にするために、連写撮影モードの撮影である場合には、１コマ目であってもシャッタユニット１０１に第２の動作シーケンスを実行させ、シングル撮影モードである場合に、シャッタユニット１０１に第１の動作シーケンスを実行させてもよい。
【符号の説明】
【００９２】
２  先幕駆動レバー
４  先幕解除レバー
５  先幕電磁石
６  後幕駆動レバー
７  後幕係止レバー
８  後幕解除レバー
９  後幕電磁石
１０  保持レバー
１１  保持レバー停止部材
１２  ボディレリーズレバー
１３  ボディレリーズアクチュエータ
２１ａ  先幕検知ＰＩ
２１ｂ  後幕検知ＰＩ
１００  デジタルカメラ本体
１０１  シャッタユニット
１８０  操作部
【図１】
0005734073.tif 000002
【図２】
0005734073.tif 000003
【図３】
0005734073.tif 000004
【図４】
0005734073.tif 000005
【図５】
0005734073.tif 000006
【図６】
0005734073.tif 000007
【図７】
0005734073.tif 000008
【図８】
0005734073.tif 000009
【図９】
0005734073.tif 000010
【図１０】
0005734073.tif 000011
【図１１】
0005734073.tif 000012
【図１２】
0005734073.tif 000013